(57)【要約】【課題】電流検出回路のための基板の枚数を増やすことなく、且つ精度良く放電灯に流れる電流を検出できる放電灯点灯装置。【解決手段】１次巻線P1と第１の２次巻線S1と第２の２次巻線S2とを有するトランスT1を備え、直流電圧を高周波電圧に変換して該高周波電圧をトランスにより昇圧するインバータと、トランスの第１の２次巻線の一端と第２の２次巻線の一端との間に接続された１以上の放電灯1a,1bと、一端がトランスの第１の２次巻線の他端に接続され、他端が接地に接続され、電流を検出する第１電流検出回路D1,D2,R1と、トランスの第１の２次巻線の両端に接続され、トランスの第１の２次巻線に発生する電圧を検出する第１検出回路11aとを有する。【選択図】図１
2009032421.tif 000002
【特許請求の範囲】
【請求項１】
１次巻線と第１の２次巻線と第２の２次巻線とを有するトランスを備え、直流電圧を高周波電圧に変換して該高周波電圧を前記トランスにより昇圧するインバータと、
前記トランスの前記第１の２次巻線の一端と前記第２の２次巻線の一端との間に接続された１以上の放電灯と、
一端が前記トランスの前記第１の２次巻線の他端に接続され、他端が接地に接続され、電流を検出する第１電流検出回路と、
前記トランスの前記第１の２次巻線の両端に接続され、前記トランスの前記第１の２次巻線に発生する電圧を検出する第１検出回路と、
を有することを特徴とする放電灯点灯装置。
【請求項２】
前記第１検出回路は、前記トランスの前記第１の２次巻線の両端に接続され、第１コンデンサと第２コンデンサとが直列に接続された第１直列回路と、
前記第１コンデンサ又は前記第２コンデンサの両端電圧を検出する第１電圧検出回路と、
を有することを特徴とする請求項１記載の放電灯点灯装置。
【請求項３】
前記第１検出回路は、前記トランスの前記第１の２次巻線の両端に接続され、第１コンデンサと第２コンデンサとが直列に接続された第１直列回路を有し、前記第１コンデンサと前記第２コンデンサとの接続点と前記接地との間の電圧を検出電圧とすることを特徴とする請求項１記載の放電灯点灯装置。
【請求項４】
前記トランスの前記第２の２次巻線の両端に接続され、前記トランスの前記第２の２次巻線に発生する電圧を検出する第２検出回路を有することを特徴とする請求項１乃至請求項３のいずれか１項記載の放電灯点灯装置。
【請求項５】
一端が前記トランスの前記第２の２次巻線の他端に接続され、他端が接地に接続され、電流を検出する第２電流検出回路と、
前記トランスの前記第２の２次巻線の両端に接続され、前記トランスの前記第２の２次巻線に発生する電圧を検出する第２検出回路と、
を有することを特徴とする請求項１乃至請求項３のいずれか１項記載の放電灯点灯装置。
【請求項６】
前記第２検出回路は、前記トランスの前記第２の２次巻線の両端に接続され、第３コンデンサと第４コンデンサとが直列に接続された第２直列回路と、
前記第３コンデンサ又は前記第４コンデンサの両端電圧を検出する第２電圧検出回路と、
を有することを特徴とする請求項４又は請求項５記載の放電灯点灯装置。
【請求項７】
前記第２検出回路は、前記トランスの前記第２の２次巻線の両端に接続され、第３コンデンサと第４コンデンサとが直列に接続された第２直列回路を有し、前記第３コンデンサと前記第４コンデンサとの接続点と前記接地との間の電圧を検出電圧とすることを特徴とする請求項５記載の放電灯点灯装置。
【発明の詳細な説明】
【技術分野】
【０００１】
本発明は、複数の冷陰極放電灯（ＣＣＦＬ：Cold Cathode Fluorescent Lamp）、外部電極蛍光灯や蛍光灯等の放電灯を点灯させる放電灯点灯装置に関する。
【背景技術】
【０００２】
冷陰極放電灯は、一般的に、インバータにより、数１０ｋＨｚの周波数で且つ数百Ｖ〜千数百Ｖの電圧が印加されることにより点灯する。また、外部電極蛍光灯（ＥＥＦＬ：External Electrode Fluorescent Lamp）と呼ばれる蛍光管もある。外部電極蛍光灯と冷陰極放電灯とは電極の構造が相違し、それ以外の相違はほとんどなく、発光原理も冷陰極放電灯と同じである。このため、外部電極蛍光灯や冷陰極放電灯を点灯させるためのインバータは、原理的には同じである。このため、以下、冷陰極放電灯（放電灯と略称する。）を用いて説明する。
【０００３】
放電灯とインバータは、液晶ＴＶ、液晶モニタ、照明装置、液晶表示装置、看板などに用いられている。インバータはトランスで昇圧するものが多く、このインバータには、いわゆる「片端高圧」と呼ばれるシステムと「両端高圧」と呼ばれるシステムがある。片端高圧システムはトランスの２次巻線（放電灯側）の片側がグランド（ＧＮＤ）に対して低圧になるシステムであり、両端高圧システムはトランスの２次巻線の両端がグランドに対して高圧になるシステムである。
【０００４】
図５は従来の片端高圧システムを用いた放電灯点灯装置の回路図である。この片端高圧システムは、インバータ部２０とパネル部３０とで構成され、インバータ部２０は、直流電圧を高周波電圧に変換し、高周波電圧をトランスＴ３で昇圧し、トランスＴ３の２次巻線Ｓ１（一端が接地されている。）に高圧の高周波電圧を発生させる。２次巻線Ｓ１に発生した高周波電圧によりパネル部３０内の放電灯１に電流が流れて放電灯１が点灯する。また、放電灯１に流れる電流は、電流検出抵抗Ｒ１とダイオードＤ１，Ｄ２からなる電流検出回路により検出される。制御回路（図示せず）は、検出された電流が所定値になるように制御する。
【０００５】
この片端高圧システムでは、放電灯１や回路素子に流れる電流のほかに、寄生容量に流れる電流も存在する。トランスＴ３の２次巻線Ｓ１を流れる電流経路としては、２次巻線Ｓ１の電圧を検出するための電圧検出コンデンサＣ１、Ｃ２を流れる電流経路（１）と、配線等、主に高圧部とシャーシ等の間にある寄生容量Ｃ５に流れる電流経路（２）と、放電灯１を流れる電流経路（３）がある。
【０００６】
一般に、シャーシ等もグランド電位であるので、シャーシ等に対して流れるリーク電流は、直接、トランスＴ３に戻ってくる。このため、図６の例では、経路（１）と経路（２）の電流は電流検出抵抗Ｒ１を流れず、電流検出抵抗Ｒ１を流れるのは経路（３）のみであるため、放電灯１に流れる電流のみを検出できる。この電流検出値を用いて精度良くフィードバック制御が行なえる。また、図５の例では、電圧検出コンデンサＣ２と電流検出抵抗Ｒ１はともにグランドに接続されているので、グランド電位を基準とした電流検出が容易に行なえる。図５に示す片端高圧システムをパネル部に実装した構成例を図６に示す。図５に示すように、パネル部３０に複数の放電灯１が併設され、各放電灯１はインバータ部２０に電線３で接続され、インバータ部２０は１枚の基板で構成されている。
【０００７】
一方、両端高圧システムは、トランスの２次巻線のグランド電位が確定できず、２次巻線の両端が高圧であるため、放電灯に流れる電流やトランスの電圧を検出することが困難である。このため、図７に示す両端高圧システムは、トランスＴ４の２次側を第１の２次巻線Ｓ１と第２の２次巻線Ｓ２とし、各巻線の一端をグランドに接続することによりトランスＴ４の２次側のグランド電位を確定し、グランド電位を基準にして各巻線の電流、電圧を検出する。
【０００８】
この場合、電流の経路としては、電圧検出コンデンサＣ１、Ｃ２、Ｃ３、Ｃ４を流れる電流経路（１）と、配線等による寄生容量Ｃ５、Ｃ６を流れる電流経路（２）と、放電灯１ａ，１ｂを流れる電流経路（３）とがある。電流検出抵抗Ｒ１、Ｒ２に流れる電流は経路（３）のみであるため、放電灯１ａ，１ｂに流れる電流のみを検出できる。この電流検出値を用いて精度良くフィードバック制御が行なえる。また、電圧検出コンデンサＣ２、Ｃ４と電流検出抵抗Ｒ１、Ｒ２はいずれもグランドに接続されているので、グランド電位を基準とした電流検出が行なえる。
【０００９】
しかし、各放電灯１ａ，１ｂの一端にダイオードＤ１，Ｄ２及び電流検出抵抗Ｒ１からなる第１電流検出回路と、ダイオードＤ３，Ｄ４及び電流検出抵抗Ｒ２からなる第２電流検出回路とを設置する必要がある。図７に示す両端高圧システムをパネル部に実装した構成例を図８に示す。図８に示すように、インバータ部のための基板２０ａ以外に、第１電流検出回路及び第２電流検出回路のための基板２０ｂが増設されている。また、基板２０ａ，２０ｂに接続するコネクタ、ハーネス等を設けなければならず、コストがアップする。そこで、コストを低減させるために、図９に示すように、電流検出抵抗Ｒ１，Ｒ２等の電流検出回路をインバータ部に設置して１枚の基板で構成している。
【００１０】
しかし、図９に示す構成例では、トランスＴ５の２次巻線Ｓ１,Ｓ２に流れる電流経路としては、電圧検出コンデンサＣ１、Ｃ２、Ｃ３、Ｃ４を流れる電流経路（１）と、配線等による寄生容量Ｃ５、Ｃ６を流れる電流経路（２）と、放電灯１ａ，１ｂを流れる電流経路（３）とがある。即ち、経路（１）の電流が電流検出抵抗Ｒ１，Ｒ２に流れているという問題点がある。
【００１１】
放電灯の輝度を決定するのは経路（３）の電流値であり、経路（１）の電流値は輝度に寄与しない。このため、経路（１）の電流が混合した検出値でフィードバック制御をかけた場合、放電灯が点灯した後、時間と共に放電灯電流が変化する。また、周囲温度や装置の実装状態によっても、放電灯電流が変化するといった現象が起こる。
【００１２】
具体的には、低温時には放電灯のインピーダンスが上がるため、２次巻線Ｓ１，Ｓ２には高い電圧を発生させることが必要になる。そのため、経路（１）の電流が増加し、電流検出抵抗Ｒ１，Ｒ２に流れる電流が増加するため、結果的に放電灯１ａ，１ｂに流れる電流が減少する。高温時には経路（１）の電流が減少し、電流検出抵抗Ｒ１，Ｒ２に流れる電流が減少するため、結果的に放電灯１ａ，１ｂに流れる電流が増加する。即ち、放電灯は低温時に暗く、高温時に明るくなり、輝度が変化する。
【特許文献１】実開平６−１９２９９
【発明の開示】
【発明が解決しようとする課題】
【００１３】
このように、図９に示す回路は、１枚の基板で構成できる利点はあるが、放電灯に流れる電流が温度変化等により変動する。
【００１４】
本発明は、電流検出回路のための基板の枚数を増やすことなく、且つ精度良く放電灯に流れる電流を検出できる放電灯点灯装置を提供することにある。
【課題を解決するための手段】
【００１５】
上記課題を解決するために、請求項１の発明は、１次巻線と第１の２次巻線と第２の２次巻線とを有するトランスを備え、直流電圧を高周波電圧に変換して該高周波電圧を前記トランスにより昇圧するインバータと、前記トランスの前記第１の２次巻線の一端と前記第２の２次巻線の一端との間に接続された１以上の放電灯と、一端が前記トランスの前記第１の２次巻線の他端に接続され、他端が接地に接続され、電流を検出する第１電流検出回路と、前記トランスの前記第１の２次巻線の両端に接続され、前記トランスの前記第１の２次巻線に発生する電圧を検出する第１検出回路とを有することを特徴とする。
【００１６】
請求項２の発明は、請求項１記載の放電灯点灯装置において、前記第１検出回路は、前記トランスの前記第１の２次巻線の両端に接続され、第１コンデンサと第２コンデンサとが直列に接続された第１直列回路と、前記第１コンデンサ又は前記第２コンデンサの両端電圧を検出する第１電圧検出回路とを有することを特徴とする。
【００１７】
請求項３の発明は、請求項１記載の放電灯点灯装置において、前記第１検出回路は、前記トランスの前記第１の２次巻線の両端に接続され、第１コンデンサと第２コンデンサとが直列に接続された第１直列回路を有し、前記第１コンデンサと前記第２コンデンサとの接続点と前記接地との間の電圧を検出電圧とすることを特徴とする。
【００１８】
請求項４の発明は、請求項１乃至請求項３のいずれか１項記載の放電灯点灯装置において、前記トランスの前記第２の２次巻線の両端に接続され、前記トランスの前記第２の２次巻線に発生する電圧を検出する第２検出回路を有することを特徴とする。
【００１９】
請求項５の発明は、請求項１乃至請求項３のいずれか１項記載の放電灯点灯装置において、一端が前記トランスの前記第２の２次巻線の他端に接続され、他端が接地に接続され、電流を検出する第２電流検出回路と、前記トランスの前記第２の２次巻線の両端に接続され、前記トランスの前記第２の２次巻線に発生する電圧を検出する第２検出回路とを有することを特徴とする。
【００２０】
請求項６の発明は、請求項４又は請求項５記載の放電灯点灯装置において、前記第２検出回路は、前記トランスの前記第２の２次巻線の両端に接続され、第３コンデンサと第４コンデンサとが直列に接続された第２直列回路と、前記第３コンデンサ又は前記第４コンデンサの両端電圧を検出する第２電圧検出回路とを有することを特徴とする。
【００２１】
請求項７の発明は、請求項５記載の放電灯点灯装置において、前記第２検出回路は、前記トランスの前記第２の２次巻線の両端に接続され、第３コンデンサと第４コンデンサとが直列に接続された第２直列回路を有し、前記第３コンデンサと前記第４コンデンサとの接続点と前記接地との間の電圧を検出電圧とすることを特徴とする。
【発明の効果】
【００２２】
請求項１の発明によれば、トランスの第１の２次巻線の両端に発生した電圧により第１検出回路に電流が流れるが、この電流は、第１電流検出回路には流れない。即ち、第１電流検出回路はトランスの第１の２次巻線に流れる電流から第１検出回路に流れる電流を除いた電流を検出するので、放電灯のインピーダンス変化によるフィードバック量の変化を抑制できる。従って、電流検出回路のための基板の枚数を増やすことなく、且つ精度良く放電灯に流れる電流を検出できる。
【００２３】
請求項２の発明、及び請求項３の発明によれば、第１検出回路がトランスの第１の２次巻線に発生する電圧を検出し、電圧検出値により異常時の保護に用いることができる。
【００２４】
請求項４の発明によれば、第２検出回路がトランスの第２の２次巻線に発生する電圧を検出し、電圧検出値により異常時の保護に用いることができる。
【００２５】
請求項５の発明によれば、トランスの第２の２次巻線の両端に発生した電圧により第２検出回路に電流が流れるが、この電流は、第２電流検出回路には流れない。即ち、第２電流検出回路はトランスの第２の２次巻線に流れる電流から第２検出回路に流れる電流を除いた電流を検出するので、放電灯のインピーダンス変化によるフィードバック量の変化を抑制できる。従って、電流検出回路のための基板の枚数を増やすことなく、且つ精度良く放電灯に流れる電流を検出できる。
【００２６】
請求項６の発明、及び請求項７の発明によれば、第２検出回路がトランスの第２の２次巻線に発生する電圧を検出し、電圧検出値により異常時の保護に用いることができる。
【発明を実施するための最良の形態】
【００２７】
以下、本発明の放電灯点灯装置の実施の形態を図面を参照しながら詳細に説明する。
【実施例１】
【００２８】
図１は本発明の実施例１の放電灯点灯装置の構成を示す図である。図１において、トランスＴ１は１次巻線Ｐ１と第１の２次巻線Ｓ１と第２の２次巻線Ｓ２とを有し、インバータを構成する。このインバータは、制御回路（図示せず）によりスイッチング素子(図示せず)をオンオフさせることにより直流電圧を高周波電圧に変換して該高周波電圧をトランスＴ１により昇圧して第１の２次巻線Ｓ１と第２の２次巻線Ｓ２に出力する。トランスＴ１の第１の２次巻線Ｓ１の一端と第２の２次巻線Ｓ２の一端との間には、放電灯１ａと放電灯１ｂとが直列に接続されている。
【００２９】
放電灯１ａ，１ｂは、例えば、冷陰極放電灯、外部電極蛍光灯や蛍光灯から構成されており、ここでは、冷陰極放電灯を用いるものとする。
【００３０】
トランスＴ１の第１の２次巻線Ｓ１の一端と放電灯１ａとの接続点と接地との間には、寄生容量Ｃ５が接続されている。トランスＴ１の第１の２次巻線Ｓ１の両端には、電圧検出コンデンサＣ１（第１コンデンサ）と電圧検出コンデンサＣ２（第２コンデンサ）との直列回路が接続されている。
【００３１】
トランスＴ１の第２の２次巻線Ｓ２の一端と放電灯１ｂとの接続点と接地との間には、寄生容量Ｃ６が接続されている。トランスＴ１の第２の２次巻線Ｓ２の両端には、電圧検出コンデンサＣ３（第３コンデンサ）と電圧検出コンデンサＣ４（第４コンデンサ）との直列回路が接続されている。
【００３２】
トランスＴ１の第１の２次巻線Ｓ１の他端と接地との間には、ダイオードＤ２と抵抗Ｒ１との直列回路と、この直列回路に並列に接続されたダイオードＤ１とが接続され、ダイオードＤ１，Ｄ２と抵抗Ｒ１とで第１電流検出回路を構成している。
【００３３】
トランスＴ１の第２の２次巻線Ｓ２の他端と接地との間には、ダイオードＤ３と抵抗Ｒ２との直列回路と、この直列回路に並列に接続されたダイオードＤ４とが接続され、ダイオードＤ３，Ｄ４と抵抗Ｒ２とで第２電流検出回路を構成している。
【００３４】
制御回路は、第１電流検出回路で検出された第１電流検出値と第２電流検出回路で検出された第２電流検出値との平均値電流を求めてこの平均電流値が所定値になるようにスイッチング素子をオンオフさせるＰＷＭ制御を行なう。
【００３５】
電圧検出回路(第１電圧検出回路)１１ａは、電圧検出コンデンサＣ２の両端電圧を検出し、検出された電圧を制御回路に出力する。電圧検出回路(第２電圧検出回路)１１ｂは、電圧検出コンデンサＣ４の両端電圧を検出し、検出された電圧を制御回路に出力する。制御回路は、電圧検出回路１１ａからの第１電圧検出値と電圧検出回路１１ｂからの第２電圧検出値とを平均した平均値電圧が予め定められた電圧値を超えたかどうかを判定する。即ち、電圧検出回路１１ａ，１１ｂは、２次巻線Ｓ１の電圧及び２次巻線Ｓ２の電圧が過電圧になったかどうかを判定するのに用いられる。
【００３６】
このように構成された実施例１の放電灯点灯装置によれば、トランスＴ１の第１の２次巻線Ｓ１の両端に発生した電圧により、Ｓ１→Ｃ１→Ｃ２→Ｓ１、Ｓ１→Ｃ２→Ｃ１→Ｓ１の電流経路（１）で電流が流れる。この電流経路（１）の電流は、ダイオードＤ１，Ｄ２と抵抗Ｒ１からなる第１電流検出回路には流れない。即ち、第１電流検出回路は、トランスＴ１の第１の２次巻線Ｓ１に流れる電流から電圧検出コンデンサＣ１とコンデンサＣ２からなる第１電圧検出回路に流れる電流を除いた電流を検出する。
【００３７】
また、トランスＴ１の第１の２次巻線Ｓ２の両端に発生した電圧により、Ｓ２→Ｃ４→Ｃ３→Ｓ２、Ｓ２→Ｃ３→Ｃ４→Ｓ２の電流経路（１）で電流が流れる。この電流経路（１）の電流は、ダイオードＤ３，Ｄ４と抵抗Ｒ２からなる第２電流検出回路には流れない。即ち、第２電流検出回路は、トランスＴ１の第２の２次巻線Ｓ２に流れる電流から電圧検出コンデンサＣ３とコンデンサＣ４からなる第２電圧検出回路に流れる電流を除いた電流を検出する。
【００３８】
このため、放電灯１ａ，１ｂのインピーダンス変化によるフィードバック量の変化を抑制できる。従って、電流検出回路のための基板の枚数を増やすことなく、且つ精度良く放電灯１ａ，１ｂに流れる電流を検出できる。
【００３９】
また、電圧検出回路１１ａは、電圧検出コンデンサＣ２の両端電圧を検出し、電圧検出回路１１ｂは、電圧検出コンデンサＣ４の両端電圧を検出する。制御回路は、電圧検出回路１１ａからの第１電圧検出値と電圧検出回路１１ｂからの第２電圧検出値とを平均した平均値電圧が予め定められた電圧値を超えた場合に２次巻線Ｓ１の電圧が過電圧になった、即ち、異常電圧であると判定することができる。
【実施例２】
【００４０】
図２は本発明の実施例２の放電灯点灯装置の構成を示す図である。図２に示す実施例２では、図１に示す実施例１に対して、電圧検出コンデンサＣ１と電圧検出コンデンサＣ２との接続点と接地との間の電圧を第１電圧検出値として制御回路に出力し、電圧検出コンデンサＣ３と電圧検出コンデンサＣ４との接続点と接地との間の電圧を第２電圧検出値として制御回路に出力したものである。要するに、第１検出回路がダイオードＤ１，Ｄ２及び抵抗Ｒ１からなる第１電流検出回路を介して第１電圧検出値を検出する。第２検出回路がダイオードＤ３，Ｄ４及び抵抗Ｒ２からなる第２電流検出回路を介して第２電圧検出値を検出する。
【００４１】
このような構成によれば、実施例１の効果と略同様な効果が得られるとともに、電圧検出回路１１ａ，１１ｂを削除できるので、さらに、安価となる。
【実施例３】
【００４２】
図３は本発明の実施例３の放電灯点灯装置の構成を示す図である。図３に示す実施例３は、図２に示す実施例２の構成に対して、ダイオードＤ３，Ｄ４及び抵抗Ｒ２からなる第２電流検出回路を削除したことを特徴とする。
【００４３】
即ち、セット実装状態や用途によっては、ダイオードＤ１，Ｄ２及び抵抗Ｒ１からなる第１電流検出回路のみで電流検出を行なっても良い場合もある。従って、実施例３によっても、実施例２の効果と同様な効果が得られる。
【実施例４】
【００４４】
図４は本発明の実施例４の放電灯点灯装置の構成を示す図である。図４に示す実施例４は、図３に示す実施例３の構成に対して、電圧検出コンデンサＣ３と電圧検出コンデンサＣ４とからなる第２電圧検出回路を削除したことを特徴とする。
【００４５】
即ち、セット実装状態や用途によっては、電圧検出コンデンサＣ１と電圧検出コンデンサＣ２とからなる第１電圧検出回路のみで電圧検出を行なっても良い場合もある。従って、実施例４によっても、実施例３の効果と同様な効果が得られる。
【００４６】
なお、本発明は前記実施例１乃至４の放電灯点灯装置に限定されるものではない。図１〜図４の実施例１乃至４では、放電灯が２灯であったが、放電灯は１灯であっても良い。また、実施例１乃至実施例４の各構成を組み合わせても良い。例えば、図３、図４において、電圧検出コンデンサＣ１又は電圧検出コンデンサＣ２の両端電圧を検出する電圧検出回路１１ａを設けても良い。また、例えば、図３において、電圧検出コンデンサＣ３又は電圧検出コンデンサＣ４の両端電圧を検出する電圧検出回路１１ｂを設けても良い。
【図面の簡単な説明】
【００４７】
【図１】本発明の実施例１の放電灯点灯装置の構成を示す図である。
【図２】本発明の実施例２の放電灯点灯装置の構成を示す図である。
【図３】本発明の実施例３の放電灯点灯装置の構成を示す図である。
【図４】本発明の実施例４の放電灯点灯装置の構成を示す図である。
【図５】従来の片端高圧システムを用いた放電灯点灯装置の回路図である。
【図６】図５に示す片端高圧システムをパネル部に実装した構成例を示す図である。
【図７】従来の両端高圧システムを用いた放電灯点灯装置の回路図である。
【図８】図７に示す両端高圧システムをパネル部に実装した構成例を示す図である。
【図９】電流検出部をインバータ部に設置して１枚の基板で構成した従来の両端高圧システムを用いた放電灯点灯装置の回路図である。
【符号の説明】
【００４８】
Ｔ１，Ｔ３，Ｔ４，Ｔ５  トランス
Ｐ１  １次巻線
Ｓ１  第１の２次巻線
Ｓ２  第２の２次巻線
Ｃ１〜Ｃ４  電圧検出コンデンサ
Ｃ５，Ｃ６  寄生容量
Ｒ１，Ｒ２  電流検出抵抗
Ｄ１〜Ｄ４  ダイオード
１，１ａ，１ｂ  放電灯
３  電線
１１ａ，１１ｂ  電圧検出回路
２０  インバータ部
２０ａ，２０ｂ  基板
３０  パネル部
【図１】
2009032421.tif 000003
【図２】
2009032421.tif 000004
【図３】
2009032421.tif 000005
【図４】
2009032421.tif 000006
【図５】
2009032421.tif 000007
【図６】
2009032421.tif 000008
【図７】
2009032421.tif 000009
【図８】
2009032421.tif 000010
【図９】
2009032421.tif 000011